【事件の表示】
　特許第２７９２３５９号「シームレスベルト」の特許に対する特許異議の申立てについて、次のとおり決定する。
【結論】
　訂正を認める。
　特許第２７９２３５９号の特許を維持する。
【理由】
Ｉ．手続の経緯
　本件特許第２７９２３５９号発明は、平成４年１０月１日に特許出願され、平成１０年６月１９日にその特許権の設定登録がなされ、その後、伊藤　礼子（以下、「申立人」という。）より特許異議の申立てがなされ、当審により取消理由通知がなされ、その指定期間内である平成１１年８月９日に訂正請求がなされたものである。
ＩＩ．訂正の適否についての判断
　１．訂正の要旨
　▲１▼特許請求の範囲の減縮を目的として、請求項１における
「表面および裏面の表面導電性が１×１００〜１×１０１３Ω／□であるシームレスベルト。」
を、
「表面および裏面の表面導電性が１×１００〜１×１０１３Ω／□でありヒンジ特性が６１００回以上であるシームレスベルト。」
と訂正する。
　▲２▼明りょうでない記載の釈明を目的として、発明の詳細な説明の段落【０００６】中の
「表面および裏面の表面導電性が１×１００〜１×１０１３Ω／□である、」
を、
「表面および裏面の表面導電性が１×１００〜１×１０１３Ω／□でありヒンジ特性が６１００回以上である、」
と訂正する。
　２．訂正の目的の適否及び拡張・変更の存否等
　訂正▲１▼は、本件発明に係る「シームレスベルト」が特定のヒンジ特性を有すべき旨構成要件を付加する点で、特許請求の範囲の減縮に該当し、訂正▲２▼は、訂正▲１▼による特許請求の範囲の減縮に伴い必要となる、発明の詳細な説明中の明りょうでない記載の釈明に該当するものであって、いずれも、実質上特許請求の範囲を拡張又は変更するものではない。
　そして、「ヒンジ特性が６１００回以上である」ことは段落【００２１】の表１中の実施例１〜５（特に実施例５に注目）に記載されていたのであるから、訂正▲１▼〜▲２▼は、いずれも、願書に添付した明細書に記載した事項の範囲内においてされたものである。
　３．独立特許要件の判断
（１）本件発明
　訂正後の本件請求項１に係る発明（以下、単に「訂正発明」という。）は、以下のとおりのものである。
「メルト・フロー・レートが８ｇ／１０ｍｉｎ未満のエチレンテトラフルオロエチレン共重合体９７〜７５重量％とカーボンブラック３〜２５重量％からなり、表面および裏面の表面導電性が１×１００〜１×１０１３Ω／□であリヒンジ特性が６１００回以上であるシームレスベルト。」
（２）先願明細書等の記載内容
　これに対し、取消理由で引用した本件特許の先願に係る特願平４−１９５８１０号発明の願書に最初に添付した明細書（以下、単に「先願明細書」という。その内容については、申立人提出の甲第１号証（特開平５−３４５３６８号公報）参照。）には、以下の記載がなされている。
　
先願明細書（甲第１号証）
　ア．「エチレン−４フッ化エチレン共重合体……よりなる材料をチューブ状に押出し、次いで軸方向と直角方向に所定長さに切断して得られるベルトであり、ベルト各部の体積電気抵抗値が１０５〜１０１７Ωｃｍの範囲にあるとともに、前記各部における体積電気抵抗値の最大値が最小値の１〜１００倍の範囲にあることを特徴とするシームレス状半導電性ベルト。」（【請求項１】）
　イ．「本発明におけるエチレン−４フッ化エチレン共重合体（ＥＴＦＥ）……は、特に制限ないが、例えばその種類としては押出グレードのものを用いればよい。」（段落【０００５】）、
　ウ．「導電性フィラーとしては、……ケッチェンブラック（コンダクティブファーネス系カーボンブラック）、アセチレンブラック等のカーボンブラック……等の導電性・半導電性の微粉末であればよい。かかる導電性フィラーの混合量も特に制限なく電気抵抗値に応じて、適宜選定すればよく、通常では樹脂の重量に対し５〜２０重量％配合すればよい。」（段落【０００６】）、
　エ．「本発明の用途としては……複写機などの各種機能性ベルトとして有用で、一例として転写ベルトやＯＰＣベルトとして使用したところ好適であった。」（段落【００１８】）、
　オ、ＥＴＦＥ９４重量％とケッチェンブラック６重量％とを原材料として製造した、上述の特性値を有するベルト（段落【００２１】、実施例１参照）。
　また、同じく取消理由で示した参考資料１（里川　孝臣編「ふっ素ハンドブック」、日刊工業新聞社（１９９０年１１月３０日発行）、４７２頁。申立人提出の甲第４号証）、参考資料２（「１９９２年版　プラスチック成形材料商取引便覧（特性データベース）改訂第９版」、合成樹脂工業新聞社（平成４年２月２９日発行）、２５２頁、２５８頁。同甲第５号証）、参考資料３（本件特許権者が別件たる特願平４−１９５８１０号（特公平８−２５２３２号公報）に係る特許異議申立の証拠として提出した、三菱化学株式会社四日市総合研究所第２研究所樹脂加工開発センター　奥山　克己報告による平成８年７月４日付実験成績報告書。同甲第３号証）には、それぞれ、以下の記載がなされている。
　
参考資料１　（甲第４号証）
　カ．ＥＴＦＥの成形用原料であり、押出成形に用いられるネオフロンＥＴＦＥのグレードＥＰ−５２０、ＥＰ−５４０のメルトインデックスは、それぞれ、１０〜２０、４〜８（ｇｒ／１０分。以下、単位省略）であり、同テフゼルのグレード２００、２８０のメルトインデックスは、それぞれ、１２、５であり、同アフロンＣＯＰのグレードＣ−５５Ａ、Ｃ−８８Ａ、Ｃ−５５ＡＸ、Ｃ−８８ＡＸ、Ｃ−７８０、Ｃ８８，ＡＰＭ充填材入りのメルトインデックスは、それぞれ、１〜１．８、３〜５、１〜１．８、３〜５、１〜１．８、〜１２であること（４７２頁、表ＩＩ．７．１３）。
　
参考資料２（甲第５号証）
　キ．前記テフゼルのグレード２００、２８０のメルトインデックスは、それぞれ、５．１〜１１、２〜５であり、同アフロンＣＯＰのグレードＣ−−８８Ａ、Ｃ−５５ＡＸのメルトインデックスは、それぞれ、３．０〜５．０、１．０〜１．８であること（２５８頁、２５２頁）。
　
参考資料３（甲第３号証）
　ク．後記甲第２号証に係る特開平４−２５５３３２号公報（発明の名称：「抵抗制御エンドレスベルトの製造方法」）の実施例１の忠実な追試を行い、得られたチューブ各部の体積電気抵抗値を測定し、表面抵抗値との関係を調べたところ、チューブの体積抵抗の測定値は、表面抵抗の測定値に１０１〜１０２を乗じた値となること（特に３頁「報告者の考察」欄参照）。
（３）対比・判断
　本件訂正発明（前者）と上記先願明細書記載の発明（後者）とを対比すると、後者における導電性フイラーとしてのカーボンブラックの対樹脂べースの混合量５〜２０重量％（前記ウ参照）を［樹脂＋カーボンブラック］ベースでのカーボンブラックの混合量に換算すると約４．８〜１６．７重量％になり、また、参考資料３に示された、チューブの体積抵抗の測定値と表面抵抗の測定値との関係からして、後者に係る前記ベルト各部の体積電気抵抗値１０５〜１０１７Ωｃｍは、表面抵抗値（表面導電性）として１×１０３〜１×１０１６Ω／□に相当することから、両者は、「エチレンテトラフルオロエチレン共重合体約９５．２〜８３．３重量％とカーボンブラック約４．８〜１６．７重量％からなり、表面および裏面の表面導電性が１×１０３〜１×１０１３Ω／□であるシームレスベルト。」に係る点で一致するものの、先願明細書には、前者の必須の構成である、「メルト・フロー・レートが８ｇ／１０ｍｉｎ未満のエチレンテトラフルオロエチレン共重合体」を用いた「ヒンジ特性が６１００回以上であるシームレスベルト」について記載されていない。
　ここで、参考資料１〜２をみると、後者で用いるＥＴＦＥの実例として挙げられた押出グレード（前記イ参照）の各種市販ＥＴＦＥのメルト・フロー・レート（なお、申立人提出の後記甲第６号証にもあるとおり、参考資料１〜２中に記載の「メルトインデックス」は「メルト・フロー・レート」と同義である。）には、前者で規定する「８ｇ／１０ｍｉｎ未満」のものが複数種あるのは事実であるが、反面、その値を越えるものが複数種存在するのも確かな事実である（前記カ、キ中の傍点付与部参照。特に、平成１１年８月９日付特許異議意見書とともに特許権者が参考資料１として提出した、取消理由における参考資料２、すなわち、申立人提出の甲第５号証そのものの、申立人によっては挙げられなかった２５６頁には、同じく押出グレードのＥＴＦＥの一つである「ＶホスタフロンＥＴ」（同時に特許権者の提出した参考資料２の２頁中欄の記載より、そのように解される。）のメルトインデックス、すなわち、メルト・フロー・レートは、３５〜１５０という大きな値である！）以上、後者で用いるＥＴＦＥのメルト・フロー・レートは一義的に「８ｇ／１０ｍｉｎ未満」であるとはいえない。
　また、先願明細書にはＥＴＦＥのメルト・フロー・レートとヒンジ特性との関連について何の記載もなく、後者で得られる製品のヒンジ特性が６１００回以上であるとする根拠も見出せない。
　そうすると、上記メルト・フロー・レートとヒンジ特性に係る必須の構成の有無の点で両者は明らかに相違するから、前者は後者と同一の発明であるということはできない。
　また、他に、前者が特許出願の際独立して特許を受けることができないとすべき理由を発見しない。
　したがって、前者、すなわち、訂正発明は、特許出願の際独立して特許を受けることができるものであると認められる。
　４．むすび
　以上のとおりであるから、上記訂正請求は、特許法第１２０条の４第２項及び同条第３項で準用する同法第１２６条第２〜４項の規定に適合するので、上記訂正を認める。
ＩＩＩ．特許異議の申立についての判断
　１．申立ての理由の概要
　申立人は、甲第１〜６号証を提出し、
　１）甲第３〜５号証の記載を参酌すると、訂正前の本件請求項１に係る発明（以下、「訂正前発明」という。）は、甲第１号証に係る先願明細書に記載された発明と同一の発明であるから、該発明に係る本件特許は、特許法第２９条の２の規定に違反してされたものであり、
　２）同じく甲第４、５号証の記載を参酌すると、訂正前発明は、甲第２号証に記載された発明と同一の発明であるか、少なくとも、該発明に基づいて当業者が容易に発明をすることができたものであるから、該発明に係る本件特許は、特許法第２９条第１項第３号、あるいは同法第２９条第２項の規定に違反してされたものである、と主張している。
　２．甲各号証の記載内容
　既述の甲第１号証（先願明細書）、甲第３号証（取消理由中の参考資料３）、甲第４号証（同参考資料１）、甲第５号証（同参考資料２）を除く甲第２号証（特開平４−２５５３３２号公報）、甲第６号証（「実用プラスチック用語辞典」第３版、（株）プラスチックス・エージ（１９８９年９月１０日発行）、７０１頁）には、それぞれ、以下の記載がなされている。
　
甲第２号証
　ケ．「導電性フィラーを配合した熱可塑性樹脂組成物を溶融し、押出機に装着した環状ダイより下方にチューブ状に押し出し、このチューブの外周面に温調した気体を吹き付けるとともに、チューブの内側に供給圧力と供給流量を制御した気体を連続的に供給・排除させ、次いで、温調されたマンドレルに接触させるとともに、マンドレルに接触を開始する近傍のチューブの外周面に再度温調した気体を吹き付け、しかる後、チューブ状を維持したままで連続して引き取って輪切り状に切断するようにしたことを特徴とする抵抗制御エンドレスベルト材の製造方法。」（【請求項１】）、
　コ．「本発明は、電子写真式複写機……等の感光体装置……等において使用するエンドレスベルトの素材となる抵抗制御エンドレスベルト材の製造方法に関するものである。」（段落【０００１】）、
　サ．「熱可塑性樹脂としては、ポリカーボネート、……エチレンテトラフロロエチレン共重合体、……ポリウレタン共重合体から選ばれる少なくとも１種またはこれら数種の混合物からなるものが好ましい。」（段落【００１１】）、
　シ．「導電性フィラーとしては、……特にカーボンブラックが好ましい。……カーボンブラックの配合量は、熱可塑性樹脂に対して３〜２５重量部である。」（段落【００１２】〜【００１３】）、
　ス．「メルトフローレート（ＭＦＲ）４．６ｇ／１０分（２８０℃）のポリカーボネート８３部、ＭＦＲ４．３２ｇ／１０分（２３０℃）のポリブチレンテレフタレート１７重量部、アセチレンブラック１６重量部を原材料として上記製造方法で得られたチューブの長手方向及び円周方向の表面抵抗は３×１０８〜８×１０８Ω／□であったこと（段落【００４５】〜【００４６】）。
　
甲第６号証
　セ．メルトフローレートとはメルトインデックスと同義であること（７０１頁右欄「メルトフローレート」項参照）。
　３．対比・判断
　（１）主張１）について
　前記のとおり、本件発明の要旨は適法な訂正によりＩＩの３の（１）項に記載のとおりのものとなった（以下、この訂正発明を「本件発明」という。）ところ、ＩＩの３の（３）項で述べたとおりの理由により、たとえ甲第３〜５号証の記載を参酌したとしても、本件発明は、申立人主張の甲第１号証に係る先願発明と同一の発明ということはできない。
　（２）主張２）について
　本件発明（前者）と甲第２号証記載の発明（後者）とを対比すると、甲第２号証には前者の必須の構成である、「メルト・フロー・レートが８ｇ／１０ｍｉｎ未満のエチレンテトラフルオロエチレン共重合体」を用いた「ヒンジ特性が６１００回以上であるシームレスベルト」について、記載も示唆もされていない。
　すなわち、後者にあってはポリマー材料の一つとしてＥＴＦＥが挙げられている（前記サ参照）ものの、それは単なる一行記載であって実施例を伴うものではない上、該甲号証中にはＥＴＦＥに限らず、ポリマー材料のメルトフローレートについての一般的説明・考慮（メルトフローレートが製品特性にどう影響するのか）が何らなされていないのであるから、たまたま実施例で用いた、ＥＴＦＥ以外のポリマー材料についてのメルトフローレート（前記ス参照）をもって、ＥＴＦＥ使用時のメルトフローレートを如何にすべきかが教示されているということはできない。
　また、前記のとおり、甲第４、５号証もＥＴＦＥのメルトフローレートには前者で規定する値以外の広い範囲のものまでが存在することを示すにとどまり、別段、前者の前記必須の構成を教示するものとはいえない。
　一方、前者は、前記必須の構成の採用により、フィルミング現象を防止するとともにヒンジ特性６１００回以上という耐久性に優れたシームレスベルトを提供するという、明細書記載の顕著な効果を奏するものと認められる。
　そうすると、前者は後者と同一の発明でもなければ、後者に基づき当業者に想到容易であったということもできない。
ＩＶ．むすび
　したがって、特許異議申立ての理由及び証拠によっては、本件請求項１の発明に係る特許を取り消すことはできない。
　また、他に本件請求項１の発明に係る特許を取り消すべき理由を発見しない。
　よって、結論のとおり決定する。
【異議決定日】
平成１１年８月３１日（１９９９．８．３１）
【訂正の要旨】
　訂正の要旨
　▲１▼特許請求の範囲の減縮を目的として、請求項１における
「表面および裏面の表面導電性が１×１００〜１×１０１３Ω／□であるシームレスベルト。」
を、
「表面および裏面の表面導電性が１×１００〜１×１０１３Ω／□でありヒンジ特性が６１００回以上であるシームレスベルト。」
と訂正する。
　▲２▼明りょうでない記載の釈明を目的として、発明の詳細な説明の段落【０００６】中の
「表面および裏面の表面導電性が１×１００〜１×１０１３Ω／□である、」
を、
「表面および裏面の表面導電性が１×１００〜１×１０１３Ω／□であリヒンジ特性が６１００回以上である、」
と訂正する。
（５４）【発明の名称】
シームレスベルト
（５７）【特許請求の範囲】
　【請求項１】メルト・フロー・レートが８ｇ／１０ｍｉｎ未満のエチレンテトラフルオロエチレン共重合体９７〜７５重量％とカーボンブラック３〜２５重量％からなり、表面および裏面の表面導電性が１×１００〜１×１０１３Ω／口でありヒンジ特性が６１００回以上であるシームレスベルト。
【発明の詳細な説明】
　【０００１】
　【産業上の利用分野】本発明は、電子写真式複写機、レーザープリンター等において、感光体基体用を始め、中間転写、搬送、定着、現像等に使用されるシームレスベルトに関する。
　【０００２】
　【従来の技術】従来から電子写真式複写機等の、中間転写装置、転写分離装置、帯電装置等においては、エンドレスベルト、特にシームレスベルトが多用されている。図１は中間転写方式の複写機の要部側面図である。図中、１は感光ドラム、６は導電性シームレスベルトである。感光ドラム１の周囲には、帯電器２、半導体レーザー等を光源とする露光光学系３、トナーが収納されている現像器４及び残留トナーを除去するためのクリーナー５よりなる電子写真プロセスユニットが配置されている。
　【０００３】導電性シームレスベルト６は、搬送ローラ７，８，９に掛け渡されて、矢印Ａの方向に回転する感光ドラムと同調して矢印Ｂ方向に移動するよう構成されている。次に、動作について説明する。まず矢印Ａ方向に回転する感光ドラム１の表面を帯電器２により一様に帯電する。次に、光学系３により図示しない画像読み取り装置等で得られた画像に対応する静電潜像を感光ドラム１上に形成する。静電潜像は現像器４でトナー像に現像される。このトナー像を、静電転写器１０により導電性シームレスベルト６へ静電転写し、搬送ローラ９と押圧ローラ１２の間で記録紙１１に転写する。
　【０００４】導電性シームレスベルトとしては例えばポリカーボネート樹脂、ポリエチレンテレフタレート等の熱可塑性樹脂に導電性のカーボンブラックを配合し、円筒ダイを用いて筒状フィルムに押出成形し、この筒状フィルムを水平方向に輪切りしたものが知られている（特開平２−２３３７６５号公報、特開平３−８９３５７号公報および特開昭６４−２６４３９号公報等に開示）。
　【０００５】
　【発明が解決しようとする課題】電子写真式複写機に用いるシームレスベルトには、高耐久性が要求される。しかし、ポリカーボネート系シームレスベルトでは短時間で端面にクラックが入り、時間の経過と共に進展して破断に至る。また、中間転写用、転写分離用等の場合には、記録紙に転写されなかったトナー（残留トナー）を繰り返し除去するため、トナーの除去特性も要求される。しかし、残留トナーはベルトの使用経過と共にベルト表面にフィルム状に付着し、容易に除去できなくなる（フィルミング現象）。フィルミング現象の原因は不明だが、表面の相溶性が影響するのではないかと考えられている。トナーと相溶性のない樹脂としてはポリフッ化ビニリデン等のフッ素系樹脂があるが、対衝撃性および耐久性の点で実用化に至っていない。
　【０００６】
　【課題を解決するための手段】本発明者らは、従来の問題点を解決したフッ素系樹脂を用いることにより、フィルミング現象を防止し、かつ耐久性に優れたシームレスベルトが実現できることを見いだし本発明を完成した。即ち本発明によれば、メルト・フロー・レートが８ｇ／１０ｍｉｎ未満のエチレンテトラフルオロエチレン共重合体９７〜７５重量％とカーボンブラック３〜２５重量％からなり、表面および裏面の表面導電性が１×１００〜１×１０１３Ω／口であり、ヒンジ特性が６１００回以上フィルミング現象を防止し、かつ耐久性に優れたシームレスベルトが得られる。
　【０００７】以下、本発明を具体的に説明する。
（１）エチレンテトラフルオロエチレン共重合体
本発明で使用するエチレンテトラフルオロエチレン共重合体のメルト・フロー・レート（ＭＦＲ）は８ｇ／１０ｍｉｎ未満が好ましく、５ｇ／１０ｍｉｎ未満が更に好ましい。メルト・フロー・レートが８ｇ／１０ｍｉｎ以上になると極めて耐クラック性が悪くなり耐久性が劣る。
　【０００８】（２）カーボンブラック
本発明で使用するカーボンブラックとしては、アセチレンブラック、ファーネスブラック、チャンネルブラックが好ましい。
（３）配合量
エチレンテトラフルオロエチレン共重合体９７〜７５重量％とカーボンブラック３〜２５重量％カーボンブラックが３重量％未満では導電性に乏しく、２５％を超えると製品の外観悪化、強度低下等の問題が生じる。
　【０００９】表面導電性は、１００〜１０１３Ω／口の範囲が好ましい。感光体基体用として使用する場合には、１００〜１０５Ω／口が好ましく、１００〜１０３Ω／□が特に好ましい。中間転写用、搬送用、定着用および現像用等に使用する場合には１０５〜１０１３Ω／口が好ましく、１０７〜１０１２Ω／口が特に好ましい。
　【００１０】さらに本発明では、発明の効果を著しく損なわない範囲でこれらの成分の他に付加的成分を配合することが出来る。付加成分、熱可塑性樹脂としては、ポリプロピレン、ポリエチレン（高密度、中密度、低密度、直鎖状低密度）、プロピレンエチレンブロックまたはランダム共重合体、ゴムまたはラテックス成分、例えばエチレン・プロピレン共重合体ゴム、スチレン・ブタジエンゴム、スチレン・ブタジエン・スチレンブロック共重合体または、その水素添加誘導体、ポリブタジエン、ポリイソブチレン、ポリアミド、ポリアミドイミド、ポリアセタール、ポリアリレート、ポリカーボネート、ポリフェニレンエーテル、変性ポリフェニレンエーテル、ポリイミド、液晶性ポリエステル、ポリエチレンテレフタレート、ポリスルフォン、ポリエーテルスルフォン、ポリフェニレンサルファイド、ポリビスアミドトリアゾール、ポリブチレンテレフタレート、ポリエーテルイミド、ポリエーテルエーテルケトン、アクリル、ポリフッ化ビニリデン、ポリフッ化ビニル、クロロトリフルオロエチレン、ヘキサフルオロプロピレン、パーフルオロアルキルビニルエーテル共重合体、アクリル、アクリル酸アルキルエステル共重合体、ポリエステルエステル共重合体、ポリエーテルエステル共重合体、ポリエーテルアミド共重合体、ポリウレタン共重合体等の１種またはこれらの混合物からなるものが使用される。熱硬化性樹脂、例えばエポキシ樹脂、メラミン樹脂、フェノール樹脂、不飽和ポリエステル樹脂の１種またはこれらの混合物からなるものが使用される。
　【００１１】また、各種フィラー、例えば、炭酸カルシウム（重質、軽質、膠質）タルク、マイカ、シリカ、アルミナ、水酸化アルミニウム、水酸化マグネシウム、硫酸バリウム、酸化亜鉛、ゼオライト、ウオラストナイト、けいそう土、ガラス繊維、ガラスビーズ、ベントナイト、モンモリロナイト、アスベスト、中空ガラス玉、黒鉛、二硫化モリブデン、酸化チタン、炭素繊維、アルミニウム繊維、ステンレススチール繊維、黄銅繊維、アルミニウム粉末、木粉、もみ殻、グラファイト、金属粉、導電性金属酸化物、有機金属化合物、有機金属塩、等のフィラーの他、添加剤として：酸化防止剤（フェノール系、硫黄系等）、滑剤、有機・無機系の各種顔料、紫外線吸収剤、帯電防止剤、分散剤、中和剤、発泡剤、可塑剤、銅害防止剤、難燃剤、架橋剤、流れ性改良剤等を挙げることが出来る。
　【００１２】上記組成物は、所望により付加的成分を一軸押出機、二軸押出機、バンバリーミキサー、ロール、ブラベンダー、プラストグラフ、ニーダー等の通常の混練機を用いて製造することができる。通常は押出機等で各成分を各々に混練してペレット状のコンパウンドした後で加工するが、特殊な場合は各成分を直接成形機に供給し、成形機で本組成物を混練しながら成形することもできる。
　【００１３】シームレスベルトの製造方法は、連続溶融押出成形法、射出成形法あるいはブロー成形法、インフレーションフィルム成形法等公知の方法を採用することが出来る。望ましい製造方法は連続溶融押出成形法で、特に押し出したチューブの内径を高精度で制御可能な下方押し出し方式の内部冷却マンドレル方式あるいはバキュームサイジング方式が好ましく、内部冷却マンドレル方式が最も好ましい。
　【００１４】押し出されたシームレスベルトは未延伸状態で必要な導電性、厚みの均一性、機械的強度を有していなければならない。これは、延伸操作により、機械的強度の向上は期待できるが、導電性の均一性が損なわれること、延伸方向に裂け易くなるため耐久性も損なわれてしまう等の問題が生じるからである。さらに、カーボンブラックとプラスチックの界面に剥離が生じカーボンが脱落して転写むら等の原因となる問題もある。
　【００１５】シームレスベルトの厚みは、５０μｍ以上１０００μｍ以下が好ましく、１００μｍ以上７００μｍ以下がさらに好ましい。５０μｍ未満になるとシームレスベルトが伸び易くなる為、画像の色むら等の問題が生じる。また、耐電圧が不足し、転写に必要な電荷を付与するのに十分な電圧を印加する事が出来なくなる。また、１０００μｍを越えると柔軟な変形が困難になるため、小径ロールによる均一な速度の駆動ができず、画像の転写ずれが生じる。さらに、靜電容量が小さくなるため、高電圧を印加しないと転写に必要な電荷を付与することができず、電源装置の高コスト化、大型化のみならず、周辺機器部品間での放電等の問題が生ずる。
　【００１６】シームレスベルトはそのままベルトとして使用しても良いし、ドラムあるいはロール等に巻き付けて使用しても良い。更に、図２に示すように、蛇行防止や端面補強等の目的のために、所定の寸法のシームレスベルトの内側面端部を耐熱テープ１３或いは、シリコンゴム１４等で処理しても良い。
　【００１７】
　【実施例】表１に記載した割合で、各成分を押出成形機に供給し、混練し、ペレットを製造した。得られたペレットを用いて成形品を製造し、特性を評価した。
実施例及び比較例においての使用材料は、下記の通りである。
１．エチレンテトラフルオロエチレン共重合体（旭硝子社製、商品名「アフロンＣＯＰ：Ｃ５５ＡＰ」）ＭＦＲ：２ｇ／１０ｍｉｎ
２．エチレンテトラフルオロエチレン共重合体（旭硝子社製、商品名「アフロンＣＯＰ：Ｃ８８ＡＰ」）ＭＦＲ：４ｇ／１０ｍｉｎ
３．エチレンテトラフルオロエチレン共重合体（旭硝子社製、商品名「アフロンＣＯＰ：Ｃ８８ＡＰＭ」）ＭＦＲ：１２ｇ／１０ｍｉｎ
４．ポリフッ化ビニリデン（三菱油化社製、商品名「ＫＹＮＡＲ７２０］）　ＭＦＲ：４ｇ／１０ｍｉｎ
５．アセチレンブラック（電気化学社製、商品名「デンカブラック」）
　【００１８】実施例及び比較例においての実験、評価方法は、下記の通りである。
１．メルト・フロー・レート
ＪＩＳ　Ｋ７２１０に準拠し、温度３００℃、荷重２．１６Ｋｇで測定。
２．導電性（表面抵抗：Ω／口）
表面抵抗計ハイレスタＨＡプローブ（三菱油化社製）を用い、測定電圧５００Ｖ、測定時間１０秒で測定した。
３．トナー固着性試験
シームレスベルトの外側面を上にしてトナーをベタ現像したサンプル上にセロハン粘着テープ（ＪＩＳＺ１５２２）を十分圧着し、表面と約４５度に保ち手前に一気に引き剥し、トナーの残り具合を面積比で表す。
４．ヒンジ特性
ＪＩＳ　Ｐ−８１１５に準拠して、厚さ１５０μｍのシームレスベルトを幅１０ｍｍ、長さ８０ｍｍの大きさに切断し、ヒンジ試験機で、速度１８０回／分、回転角度９０゜左右、引張り荷重０．５ｋｇの条件で破壊回数を測定した。
５．耐久性
２００ｍｍ幅のシー・ムレスベルトを、両ロール径２５φｍｍ、ロール速度１００ｍｍ／ｓｅｃ、ベルト張力８Ｋｇ／ベルト全巾、２５℃、湿度５５％の条件で図２の装置にセットし、ベルトの割れ状態を目視にて観察した。
　【００１９】以下、具体的実施例により本発明を更に説明する。
（実施例１〜４）表１にて示した配合にて、環状ダイ付き４０φの押出機を用い、環状ダイより下方に溶融チューブの状態で押出す。押出した溶融チューブを、環状ダイと同一軸線上に支持棒を介して装着した、冷却マンドレル外表面に接しめて冷却固化させてシームレスチューブとした。次に、シームレスチューブの中に設置されている中子と、外側に設置されているロールにより、シームレスチューブ（所定の長さに切断したものがシームレスベルト）を円筒形を保持した状態で引き取った。得られたベルトの導電性、トナーの固着性、ヒンジ特性、耐久性の評価結果を表１に示す。
　【００２０】（比較例１〜３）配合以外は実施例１〜４と同様にシームレスベルトを得た。得られたベルトの導電性、トナーの固着性、ヒンジ特性、耐久性の評価を表１に示す。
　【００２１】
　【表１】
　【００２２】
　【発明の効果】以上説明したように、本発明によれば、フィルミング現象を防止するとともに耐久性に優れたシームレスベルトが得られる。この結果、電子写真方式の複写機等に用いれば、長期間にわたって鮮明な画像を得る事ができる効果を有する。
【図面の簡単な説明】
　【図１】中間転写方式の複写機における要部側面図である。
　【図２】端面を補強したシームレスベルトの斜視図である。
　【符号の説明】
１　　感光ドラム
２　　帯電器
３　　露光用光学系
４　　現像器
５　　クリーナー
６　　導電性シームレスベルト
６ａ　　内側面
６ｂ　　外側面
７　　搬送ローラ
８　　搬送ローラ
９　　搬送ローラ
１０　　静電転写器
１１　　記録紙
１２　　押圧ローラ
１３　　補強用テープ
１４　　ガイド